(57)【要約】【課題】ボルト、ナット等を別途準備することなく、筐体に天吊り用の取付具を取り付けることができるプロジェクタ及び天吊り構造を提供する。【解決手段】プロジェクタ２の筐体２１の底面部２２に一体に倒立Ｌ字状の挿入凹部３ａを夫々有する突出部３，３，…が並設されており、固定金具４下部の板状部４１，４１を、筐体２１の背面部側から正面部側へレール２６，２６上を摺動させてストッパ２７に当接するまで挿入凹部３ａ，３ａ，…に挿入し、次に、ランプドア２４に一体に下方へ突設されている係止凸部５１を板状部４１の穴４１ａへ上方から挿入しつつ、ランプドア２４で開口２３を塞ぐ。この場合、ランプドア２４を筐体２１に固定するためにネジ１０が使用されるが、固定金具４を筐体２１に固定するためのボルト、ナット等は不要である。【選択図】図２
2008286873.tif 000002
【特許請求の範囲】
【請求項１】
画像を投射するためのランプを収容し、該ランプを着脱するための開口が一面部に設けられている筐体と、前記開口の開閉が可能な蓋とを備え、
前記一面部に取り付けられる場合に水平方向に配され、穴が形成されている板状部が設けられている取付具を介して上方の構造物から吊り下げられるプロジェクタにおいて、
上方に向けられた前記一面部に沿って前記板状部をスライド挿入することが可能な倒立Ｌ字状の挿入凹部が、前記一面部に一体に形成されており、
閉じられている前記蓋で前記取付具を係止するために、前記穴に挿入される係止凸部が前記蓋に一体に形成されていることを特徴とするプロジェクタ。
【請求項２】
前記一面部は、据置きのための複数の脚部が突出している底面部であり、
前記挿入凹部は、前記脚部の前記底面部からの突出量よりも小さい突出量を有して前記底面部から突出している倒立Ｌ字状の突出部の内側に設けられていることを特徴とする請求項１に記載のプロジェクタ。
【請求項３】
前記蓋は前記一面部に沿う方向にして閉じられ、また、前記蓋は前記係止凸部を支持すべく、前記蓋に略平行に配されている支持部を一体に有し、
前記係止凸部は、前記支持部から前記蓋に交差する方向に一体に突設されている柱状であることを特徴とする請求項１又は２に記載のプロジェクタ。
【請求項４】
前記蓋は前記一面部に沿う方向にして閉じられ、また、前記蓋は前記係止凸部を支持すべく、前記蓋に略平行に配されている支持部を一体に有し、
前記係止凸部は、前記支持部から前記蓋に交差する方向に一体に突設されており、前記板状部の前記挿入凹部に対する挿入方向の上流側から下流側へ、前記支持部からの突設量が増大するテーパ面を有することを特徴とする請求項１又は２に記載のプロジェクタ。
【請求項５】
画像を投射するためのランプを収容し、該ランプを着脱するための開口が一面部に設けられている筐体と、前記開口の開閉が可能な蓋とを備えるプロジェクタを、該プロジェクタに取り付けられる取付具を介して、上方の構造物から吊り下げる天吊り構造であって、
前記一面部には、前記取付具をスライド挿入するために、倒立Ｌ字状の挿入凹部が一体に形成されており、
前記蓋には、閉じられている該蓋で前記取付具を係止するために、係止凸部が一体に形成されており、
前記取付具には、穴が形成されている板状部が設けられており、
水平方向に配された前記板状部が、上方に向けられた前記一面部に沿って、前記挿入凹部に挿入されており、
前記係止凸部が前記穴に挿入されていることを特徴とする天吊り構造。
【発明の詳細な説明】
【技術分野】
【０００１】
本発明は、上方の構造物（例えば天井、梁等）から吊り下げられるプロジェクタ、及びプロジェクタの天吊り構造に関する。
【背景技術】
【０００２】
プロジェクタを天井から吊り下げた形態に保持するために、従来、プロジェクタの天吊り構造が開示されている（特許文献１参照）。
【０００３】
図６は、従来のプロジェクタの外観を示す斜視図であり、図７は、このプロジェクタの構成を示す分解斜視図である。
図中９はプロジェクタであり、プロジェクタ９は、正面部に投射レンズ９１が配されている直方体状の筐体９０を備える。プロジェクタ９は、天地逆転した姿勢で天吊りされるため、図７には、筐体９０の底面部９０ａを含む一部分が図示されている。
図６に示すように、底面部９０ａの中央部には、４個のボルト９３，９３，…によって、天吊り用の固定金具９２が取り付けられる。このために、底面部９０ａの中央部には、図７に示すように、４個のボス９４，９４，…が設けられており、各ボス９４には、筐体９０の内部側からナット９５が圧入されている。
【０００４】
固定金具９２の下部には板状部９２ａ，９２ａが設けられており、板状部９２ａ，９２ａには、ボス９４，９４，…の位置に対応する位置に貫通孔９２ｂ，９２ｂ，…が形成されている。
プロジェクタ９を天吊りする作業者は、例えば天井から垂下する取付アームの下端に板状部９２ａ，９２ａを水平方向に配して固定金具９２の上部を取り付け、更に、板状部９２ａ，９２ａの貫通孔９２ｂ，９２ｂ，…がボス９４，９４，…の上側に位置するようプロジェクタ９を支持しつつ、ボルト９３，９３，…を、貫通孔９２ｂ，９２ｂ，…及びボス９４，９４，…を貫通させた状態で、ナット９５，９５，…に締結する。
【０００５】
つまり、天井から垂下する取付アームに取り付けられている固定金具９２と筐体９０の底面部９０ａとを固定することによって、プロジェクタ９は天地逆転した姿勢で天吊りされる。
ところで、筐体９０は、投射レンズ９１を介して壁面、スクリーン等へ画像を投射するための図示しないランプを収容し、また、このランプの取り付け／取り外しのための開口が底面部９０ａの筐体９０正面部近傍に設けられており、図６及び図７に示すように、この開口はランプドア９６によって塞がれる。ランプドア９６は、図示しないネジを、筐体９０に形成されている図示しないネジ穴にネジ留めすることによって、筐体９０に固定される。
【特許文献１】特開２０００―１２２１８０号公報
【発明の開示】
【発明が解決しようとする課題】
【０００６】
従来の天吊り構造では、プロジェクタ９を天吊りするために、各複数個のボルト９３，９３，…及びナット９５，９５，…が必要であり、部品点数が多い。
また、作業者が、高い位置に立って、貫通孔９２ｂ，９２ｂ，…及びボス９４，９４，…の位置合わせをした状態でプロジェクタ９を一方の手で支持し、更に、他方の手でボルト９３及びナット９５の締結を複数回繰り返す必要があり、作業性が悪い。
しかも、ボス９４，９４，…に圧入されているナット９５，９５，…夫々は一般に金属製であり、一方、筐体９０は合成樹脂製であるため、プロジェクタ９を廃棄する際、筐体９０とナット９５，９５，…との分別が必要となり、リサイクル性が悪い。
【０００７】
本発明は斯かる事情に鑑みてなされたものであり、その主たる目的は、プロジェクタの筐体に一体形成されている挿入凹部に、取付具の板状部をスライド挿入し、筐体の開口の蓋に一体形成されている係止凸部を、板状部の穴に挿入する構成とすることにより、ボルト、ナット等を別途準備することなく、筐体に天吊り用の取付具を取り付けることができるプロジェクタ、及びプロジェクタの天吊り構造を提供することにある。
【０００８】
本発明の他の目的は、挿入凹部が設けられている突出部が、筐体の底面部から突出していることにより、筐体に取付具を容易に取り付けることができるプロジェクタを提供することにある。
【０００９】
本発明の他の目的は、蓋に一体に形成されている支持部から柱状の係止凸部が突設されていることにより、筐体に取付具を簡易に取り付けることができるプロジェクタを提供することにある。
【００１０】
本発明の更に他の目的は、蓋に一体に形成されている支持部からテーパ面を有する係止凸部が突設されている構成とすることにより、筐体に取付具を更に簡易に取り付けることができるプロジェクタを提供することにある。
【課題を解決するための手段】
【００１１】
本発明に係るプロジェクタは、画像を投射するためのランプを収容し、該ランプを着脱するための開口が一面部に設けられている筐体と、前記開口の開閉が可能な蓋とを備え、前記一面部に取り付けられる場合に水平方向に配され、穴が形成されている板状部が設けられている取付具を介して上方の構造物から吊り下げられるプロジェクタにおいて、上方に向けられた前記一面部に沿って前記板状部をスライド挿入することが可能な倒立Ｌ字状の挿入凹部が、前記一面部に一体に形成されており、閉じられている前記蓋で前記取付具を係止するために、前記穴に挿入される係止凸部が前記蓋に一体に形成されていることを特徴とする。
【００１２】
本発明に係るプロジェクタは、前記一面部は、据置きのための複数の脚部が突出している底面部であり、前記挿入凹部は、前記脚部の前記底面部からの突出量よりも小さい突出量を有して前記底面部から突出している倒立Ｌ字状の突出部の内側に設けられていることを特徴とする。
【００１３】
本発明に係るプロジェクタは、前記蓋は前記一面部に沿う方向にして閉じられ、また、前記蓋は前記係止凸部を支持すべく、前記蓋に略平行に配されている支持部を一体に有し、前記係止凸部は、前記支持部から前記蓋に交差する方向に一体に突設されている柱状であることを特徴とする。
【００１４】
本発明に係るプロジェクタは、前記蓋は前記一面部に沿う方向にして閉じられ、また、前記蓋は前記係止凸部を支持すべく、前記蓋に略平行に配されている支持部を一体に有し、前記係止凸部は、前記支持部から前記蓋に交差する方向に一体に突設されており、前記板状部の前記挿入凹部に対する挿入方向の上流側から下流側へ、前記支持部からの突設量が増大するテーパ面を有することを特徴とする。
【００１５】
本発明に係る天吊り構造は、画像を投射するためのランプを収容し、該ランプを着脱するための開口が一面部に設けられている筐体と、前記開口の開閉が可能な蓋とを備えるプロジェクタを、該プロジェクタに取り付けられる取付具を介して、上方の構造物から吊り下げる天吊り構造であって、前記一面部には、前記取付具をスライド挿入するために、倒立Ｌ字状の挿入凹部が一体に形成されており、前記蓋には、閉じられている該蓋で前記取付具を係止するために、係止凸部が一体に形成されており、前記取付具には、穴が形成されている板状部が設けられており、水平方向に配された前記板状部が、上方に向けられた前記一面部に沿って、前記挿入凹部に挿入されており、前記係止凸部が前記穴に挿入されていることを特徴とする。
【００１６】
本発明にあっては、作業者が、筐体の一面部を上方に向け、また、取付具に設けられている板状部を水平方向に配して、筐体の一面部に一体に形成されている挿入凹部へ、この一面部に沿ってスライド挿入する。
挿入凹部は倒立Ｌ字状であるため、筐体に対して相対的に取付具を上方へ移動させても、挿入凹部に挿入された板状部は倒立Ｌ字の横部に当接して、この横部よりも上方へ移動することができなくなる。この結果、筐体は、取付具に対して相対的に下方向への移動を制限されるため、取付具から下方向へ脱落することがない。
【００１７】
また、作業者は、筐体の開口の蓋に一体に形成されている係止凸部を、取付具の板状部に形成されている穴に挿入する。板状部の穴は鉛直方向に形成されるため、この穴に係止凸部が鉛直方向に挿入されることによって取付具が蓋で係止され、且つ、蓋が閉じられていることによって、取付具が蓋（延いては筐体）に対して相対的に横方向の移動を制限されるため、筐体が取付具から横方向へ脱離することがない。
【００１８】
取付具は、上方の構造物に対して直接的又は間接的に取り付けられるため、プロジェクタは、取付具を介して、上方の構造物から吊り下げられる。
この場合、穴を有する板状部は取付具に設けられており、挿入凹部は筐体の一面部に一体に設けられており、係止凸部が一体に設けられている蓋は筐体に付属しているため、取付具と筐体との取付けのためにボルト、ナット等の別部材を別途準備する必要はない。
ところで筐体は、画像を投射するためのランプを収容し、筐体の開口は、筐体に対してランプを着脱するために、筐体の一面部（即ち取付具が取り付けられる面）に設けられている。作業者は、蓋を開けて開口からランプを出し入れし、再び蓋を閉じる。
【００１９】
本発明にあっては、筐体の取付具が取り付けられる一面部は底面部であり、筐体の底面部からは、プロジェクタの据置きのための複数の脚部が突出している。
プロジェクタが床上、机上等に据置きされた場合、床、机等から筐体の底面部までは、各脚部の底面部からの突出量だけ離隔している。つまり、床、机等と筐体の底面部との間には空隙が設けられている。
【００２０】
ところで、筐体の底面部からは、倒立Ｌ字状の突出部が突出している。つまり、突出部は筐体の外部（例えば床、机等と筐体の底面部との間の空隙）に配され、筐体の内部には配されない。このため、例えば挿入凹部が筐体の底面部に溝状に凹設されている場合と比較して、作業者が、筐体の側方から突出部、延いては挿入凹部を視認し易く、しかも、筐体の形状が単純であるため筐体を製造し易い。
【００２１】
また、突出部の底面部からの突出量は、各脚部の底面部からの突出量よりも小さいため、筐体の底面部から突出する突出部がプロジェクタの安定した据置きを阻害することはない。この結果、床、机等と筐体の底面部との間の空隙が有効利用される。
仮に、筐体の正面部、背面部、側面部、又は天面部から突出部が突出している場合、この突出部が、例えば据置きされているプロジェクタを操作する使用者の手の動きを阻害することが考えられ、また、床、机等と筐体の底面部との間の空隙を有効利用することができない。
【００２２】
本発明にあっては、筐体の開口の蓋が、柱状の係止凸部と、この係止凸部を支持する支持部とを有し、蓋は、筐体の一面部に沿う方向にして閉じられる。
一方、支持部は蓋に略平行に配されている。つまりこの支持部は、蓋が閉められているとき、筐体の一面部に沿って配される。また、この支持部は蓋に一体に形成されており、支持部から蓋に交差する方向（即ち蓋が閉められているとき、筐体の一面部に交差する方向）に係止凸部が突設されている。
作業者は、まず、筐体の開口の蓋を開けておき（例えば筐体から蓋を取り外しておき）、次に、筐体の挿入凹部に、取付具の板状部をスライド挿入し、最後に、筐体の開口の蓋を閉める（この場合、筐体に蓋を取り付ける）ときに、係止凸部を、板状部の上方又は下方から、板状部の穴に挿入する。
【００２３】
一般に、開口の蓋を閉める作業は容易である（何故ならば、多数のボルト及びナットの締結のような煩雑な作業が不要である）。このため、穴に対する係止凸部の挿入を行なって蓋を閉める作業は容易である。
【００２４】
本発明にあっては、筐体の開口の蓋が、テーパ面を有する係止凸部と、この係止凸部を支持する支持部とを有し、蓋は、筐体の一面部に沿う方向にして閉じられる。
一方、支持部は蓋に略平行に配されている。つまりこの支持部は、蓋が閉められているとき、筐体の一面部に沿って配される。また、この支持部は蓋に一体に形成されており、支持部から蓋に交差する方向（即ち蓋が閉められているとき、筐体の一面部に交差する方向）に係止凸部が突設されている。
係止凸部のテーパ面は、取付具の板状部を筐体の挿入凹部に挿入する方向の上流側から下流側へ、支持部からの突設量が増大する。
【００２５】
作業者は、筐体の開口の蓋を閉めた状態で、筐体の挿入凹部に、取付具の板状部を挿入する。このとき、板状部がテーパ面に摺動して、板状部が支持部の下側へ滑らかに挿入されることによって、係止凸部が板状部の上方又は下方から穴に挿入される。
このため、穴に対する係止凸部の挿入を行なって蓋を閉める作業は不要である。
【発明の効果】
【００２６】
本発明のプロジェクタ及び天吊り構造による場合、取付具と筐体とを取り付けるためのボルト、ナット等が不要であるため、部品点数を減少させることができる。この結果、天吊り作業の準備を簡易に行なうことができ、作業者の利便性を向上させることができる。
しかも、取付具と筐体とを位置合わせした状態でボルト及びナットの締結を複数回繰り返す必要がないため、作業性を向上させることができる。
また、取付具の板状部を倒立Ｌ字状の挿入凹部に挿入することによって、筐体が取付具から下方向へ脱落することがなくなる。このため、作業者が筐体を手で支持する労力を軽減させることができる。
【００２７】
しかも、挿入凹部は筐体の一面部に一体に設けられており、係止凸部は蓋に一体に設けられているため、プロジェクタを廃棄する際に、例えば筐体と挿入凹部とを分別する必要がなく、リサイクル性を向上させることができる。
【００２８】
本発明のプロジェクタによる場合、作業者が、筐体の側方から挿入凹部を視認し易いため、筐体に取付具を容易に取り付けることができる。
また、挿入凹部は筐体の内部には配されないため、挿入凹部が筐体の内部のレイアウトを阻害することなく、筐体の内部の空間を有効利用することができる。しかも、挿入凹部が設けられている突出部がプロジェクタの安定した据置きや使用者によるプロジェクタの操作等を阻害することはない。
【００２９】
本発明のプロジェクタによる場合、取付具の板状部の穴に対する蓋の係止凸部の挿入を行なって蓋を閉める作業が容易であるため、筐体に取付具を簡易に取り付けることができる。
【００３０】
本発明のプロジェクタによる場合、蓋を閉めた状態で、取付具の板状部の穴に対する蓋の係止凸部の挿入を行なうことができるため、穴に対する係止凸部の挿入を行なった後で蓋を閉める作業が不要であり、筐体に取付具を更に簡易に取り付けることができる。
【発明を実施するための最良の形態】
【００３１】
以下、本発明を、その実施の形態を示す図面に基づいて詳述する。
【００３２】
実施の形態  １．
図１は、本発明の実施の形態１に係るプロジェクタの外観を示す斜視図である。また、図２は、このプロジェクタの構成を示す分解斜視図であり、図３は、このプロジェクタの蓋であるランプドアの構成を示す斜視図である。
図中１は天吊り構造であり、天吊り構造１は、図示しない上方の構造物（例えば天井、梁等）から、固定金具４を介して、天地逆転した姿勢でプロジェクタ２を吊り下げるようにしてある。
【００３３】
本発明に係る天吊り構造１の主な特徴は２つある。１つ目は、固定金具４に一体形成されている板状部４１，４１をプロジェクタ２の筐体２１に一体形成されている挿入凹部３ａ，３ａ，…にスライド挿入することによって、プロジェクタ２を天吊りすることである。２つ目は、挿入凹部３ａ，３ａ，…に挿入されている板状部４１をプロジェクタ２のランプドア２４で係止することによって、天吊りされたプロジェクタ２の脱落を防止することである。
【００３４】
以下に、天吊り構造１の具体的な構成を説明する。
プロジェクタ２は、図１及び図２に示すように、正面部２１ａに投射レンズ２０が配されている直方体状の筐体２１を備え、筐体２１の底面部２２を上方（例えば天井側）に向けて（即ち天地逆転した姿勢で）天吊りされる。
以下では、プロジェクタ２の天面部と底面部２２との対面方向を上下方向といい、鉛直方向に略等しいものとする。また、プロジェクタ２の正面部２１ａと背面部との対面方向を前後方向といい、プロジェクタ２の両側面部の対面方向を左右方向といい、前後方向及び左右方向夫々は水平方向に略等しいものとする。図３には、ランプドア２４の下面側が示されている。
【００３５】
筐体２１は合成樹脂製であり、図１及び図２に示すように、筐体２１の底面部２２からは、前端部に１個、後端部に左右１個ずつ、計３個の脚部２５１，２５２，２５３が突出している。前端部の脚部２５１と後端部の脚部２５２とは夫々底面部２２からの突出量が調整可能であり、脚部２５１，２５２，２５３は、底面部２２を下方（例えば載置台側）に向けてプロジェクタ２を据置きする際に用いられる。各後述する突出部３，３，…、レール２６，２６、ストッパ２７及び閉じられているランプドア２４の支持突起５夫々の底面部２２からの突出量は、脚部２５１，２５２，２５３の底面部２２からの最小突出量よりも小さい。
【００３６】
筐体２１の底面部２２の左右方向及び前後方向夫々の中央部には、固定金具４が取り付けられる。このために、筐体２１の底面部２２には、左右方向に適長離隔して対称形状に配されている合計６個の突出部３，３，…が一体形成されている。
各突出部３は倒立Ｌ字板状であり、突出部３の内面側に、倒立Ｌ字状の挿入凹部３ａが設けられていて、この挿入凹部３ａに、固定金具４の板状部４１が、後述するように筐体２１に対して相対的に前方向に移動しながら（即ち筐体２１の背面部側から正面部２１ａ側へ）スライド挿入される。
【００３７】
右側（又は左側）の３個の突出部３，３，…は、左右方向に略同一の位置に、前後方向に離隔並置されており、倒立Ｌ字の縦部が底面部２２から上方へ突出し、倒立Ｌ字の横部は縦部から左方（又は右方）へ突出している。つまり、右側の突出部３，３，…の挿入凹部３ａ，３ａ，…と左側の突出部３，３，…の挿入凹部３ａ，３ａ，…とは左右方向に対向配置されている。
右側（又は左側）の突出部３の縦部の右面（又は左面）には、縦部を補強して無用な撓み、歪み等を抑制する補強板部が設けられている。
【００３８】
右側の最前の突出部３の近傍、且つ、この突出部３と左側の最前の突出部３とが対向する領域の最前端には、ストッパ２７が底面部２２から上方へ突設されている。このストッパ２７も、筐体２１に一体形成されており、前方向へ相対移動しながら挿入凹部３ａ，３ａ，…にスライド挿入される固定金具４の板状部４１，４１は、右側の板状部４１がストッパ２７に当接することによって、相対移動を停止する。
【００３９】
右側の突出部３，３，…と左側の突出部３，３，…との間には、左右方向に適長離隔して対称形状に配されている２本のレール２６，２６が筐体２１に一体形成されている。レール２６，２６は細長矩形状であって、左右方向に対面して、底面部２２から上方へ突設されている。前方向に相対移動しながら挿入凹部３ａ，３ａ，…に挿入される固定金具４の板状部４１，４１夫々の下面は、レール２６，２６夫々の上端面に摺動する。つまり、板状部４１，４１と筐体２との摩擦が小さく、板状部４１，４１の摺動は滑らかである。
挿入凹部３ａ，３ａ，…にスライド挿入された板状部４１，４１は、レール２６，２６夫々の上端面と突出部３，３，…の横部の下面との間で挟持される。
【００４０】
仮に、レール２６，２６を設けない場合、前方向に相対移動しながら挿入凹部３ａ，３ａ，…に挿入される固定金具４の板状部４１，４１夫々の下面は、底面部２２に摺動する。つまり、板状部４１，４１と筐体２との摩擦が大きく、板状部４１，４１の滑らかな摺動が阻害される。
【００４１】
ところで、筐体２１は、投射レンズ２０を介して壁面、スクリーン等へ画像を投射するための図示しないランプを収容する。このランプの取り付け／取り外しのために、筐体２１の底面部２２前部に矩形状の開口２３が形成されており、開口２３の蓋として、矩形板状のランプドア２４が付属している。ここで、図１はランプドア２４が閉じられている状態を示し、図２はランプドア２４が開けられている状態を示している。
ランプドア２４の開閉に係る構成及び開閉手順夫々は、従来のプロジェクタ９のランプドア９６の開閉に係る構成及び開閉手順と略同様であり、作業者は、ランプドア２４を開け、開口２３を通してランプの取り付け／取り外しを行なってから、ランプドア２４を閉じる。閉じられているランプドア２４は、図１に示すように、筐体２１の底面部２２に沿う方向に配される。
【００４２】
具体的には、ランプドア２４は合成樹脂製であり、筐体２１に対して着脱可能に設けられている。このために、図２及び図３に示すように、ランプドア２４の周端部の内、前端部にはＬ字板状の係合突起２４ａ，２４ａ，…が並設されており、開口２３の周縁部の内、前縁部には係合突起２４ａ，２４ａ，…が係合する被係合孔２３ａ，２３ａ，…が並設されている。また、ランプドア２４の後端部にはネジ１０が挿通される貫通孔２４ｂが形成されており、開口２３の後縁部にはネジ孔２３ｂが形成されている。
【００４３】
ランプドア２４を開ける場合、作業者は、図１に示す状態のプロジェクタ２に対して、ランプドア２４のネジ１０を緩めて開口２３後縁部のネジ孔２３ｂ及びランプドア２４の貫通孔２４ｂからネジ１０を引き抜き、次に、ランプドア２４の係合突起２４ａ，２４ａ，…を開口２３前縁部の被係合孔２３ａ，２３ａ，…から引き抜く。このとき、プロジェクタ２は図２に示す状態となる。
ランプドア２４を閉じる場合、作業者は、係合突起２４ａ，２４ａ，…を被係合孔２３ａ，２３ａ，…に挿入して開口２３を覆うことによって両者を係合させ、更に、ネジ１０を貫通孔２４ｂ及びネジ孔２３ｂに挿入してネジ１０を締めることによってネジ１０のネジ頭と開口２３後縁部との間でランプドア２４を挟持固定する。このとき、プロジェクタ２は図１に示す状態となる。
【００４４】
図２及び図３に示すように、ランプドア２４の後端面には、貫通孔２４ｂに隣り合って、倒立Ｌ字板状の支持突起５が上方へ突設されている。支持突起５は、ランプドア２４に一体に形成されており、柱状の係止凸部５１と、ランプドア２４に略平行に配されており、係止凸部５１を支持する支持部５２とを一体に有する。
支持部５２は支持突起５の倒立Ｌ字の横板部であり、倒立Ｌ字の縦板部から後方へランプドア２４に平行に突設されている。縦板部の前面には、支持部５２を補強して無用な撓み、歪み等を抑制する補強板部が設けられている。即ち、支持部５２は支持突起５、延いてはランプドア２４に一体形成されている。
【００４５】
係止凸部５１は支持部５２の下面から一体に突設されている。つまり、係止凸部５１は支持突起５、延いてはランプドア２４に一体形成されており、支持部５２からランプドア２４に交差する方向に突設されている。また、係止凸部５１は、後述するように、ランプドア２４が閉じられることによって固定金具４の板状部４１の穴４１ａに挿入される。
ランプドア２４が閉じられている場合、支持突起５は、左側の最前の突出部３の近傍に配される。
【００４６】
固定金具４は天吊り用の取付具であって、略十字形の金属板を折り曲げてなり、図１及び図２に示すように、２枚の板状の上部４ａ，４ａと、夫々Ｌ字に屈曲された２枚の板状の下部４ｂ，４ｂと、矩形板状の中央部４ｃとが一体形成されている。
中央部４ｃは水平方向に配され、中央部４ｃの前後端部から上部４ａ，４ａが立ち上がり、中央部４ｃの左右端部から下部４ｂ，４ｂが垂下している。
上部４ａ，４ａは、プロジェクタ２を天吊りする前に、例えば天井から垂下する取付アームの下端に予め固定される。
【００４７】
下部４ｂ，４ｂには、プロジェクタ２を天吊りする際に、プロジェクタ２の筐体２１が取り付けられる。
下部４ｂ，４ｂは左右方向に対称形状に配されており、右側（又は左側）の下部４ｂは、Ｌ字の縦部が中央部４ｃから下方へ突設され、Ｌ字の横部である水平方向の板状部４１が縦部から右方（左方）へ突設されている。板状部４１，４１夫々と中央部４ｃとは略平行に配されている。各板状部４１には、板状部４１を貫通する複数の穴４１ａ，４１ａ，…が互い違いに並設されている。各穴４１ａは円形状であり、穴４１ａの内径は係止凸部５１の外径よりもやや長い。
【００４８】
以上のような固定金具４は、従来の天吊り構造の固定金具９２と略同様の構成を有する。つまり、天吊り構造１を構成するために、従来の固定金具９２を流用することが可能である。
最後に、プロジェクタ２の天吊り手順を説明する。
プロジェクタ２を天吊りする前に、作業者は、天井から垂下する取付アームの下端に固定金具４の上部４ａ，４ａを固定する。このとき、板状部４１は水平方向に配される。
【００４９】
次いで作業者は、ランプドア２４を開けてから、筐体２１を両手で支持して、固定金具４の前方に配置し、挿入凹部３ａ，３ａ，…と固定金具４の板状部４１，４１との位置関係を前方又は側方から見て確認しながら、筐体２１を後方向へ移動させることによって板状部４１，４１夫々の下面をレール２６，２６夫々の上端面に摺動させる。このとき、板状部４１，４１の左右方向先端部が左右の挿入凹部３ａ，３ａ，…にスライド挿入され、右側の板状部４１の前端部がストッパ２７に当接したとき、板状部４１，４１は６個の挿入凹部３ａ，３ａ，…の全てに挿入される。
【００５０】
板状部４１，４１の挿入凹部３ａ，３ａ，…への挿入によって、挿入凹部３ａ，３ａ，…の倒立Ｌ字の横部とレール２６，２６夫々の上端面との間で板状部４１，４１の鉛直方向の相対移動が制限される。即ち、固定金具４と筐体２１との鉛直方向の相対移動が制限される。このため、板状部４１，４１が６個の挿入凹部３ａ，３ａ，…全てに挿入された状態で作業者が筐体２１から手を離しても、プロジェクタ２が下方へ脱落することはない。
【００５１】
ところで、固定金具４が固定される取付アームは、一般に、画像を投射すべき壁面、スクリーン等と対面する壁面の近傍に設けられるため、この壁面と、取付アームの下端に固定されている固定金具４との間隙（即ち固定金具４の後方の間隙）は狭い。しかしながら、固定金具４と画像を投射すべき壁面、スクリーン等との間隙（即ち固定金具４の前方の間隙）は広いため、筐体２１を固定金具４の前方に配置して筐体２１を後方へ移動させつつ固定金具４に取り付ける作業は筐体２１を固定金具４の後方に配置して筐体２１を前方へ移動させつつ固定金具４に取り付ける作業よりも容易である。
【００５２】
突出部３，３，…を板状部４１，４１に係止させた後で、作業者はランプドア２４を閉める。このために、係合突起２４ａ，２４ａ，…を被係合孔２３ａ，２３ａ，…に挿入して開口２３を覆うことによって両者を係合させ、ネジ１０を貫通孔２４ｂ及びネジ孔２３ｂに挿入してネジ１０を締めることによってネジ１０のネジ頭と開口２３後縁部との間でランプドア２４を挟持固定する。このとき、ランプドア２４に設けられている係止凸部５１が、左側の板状部４１に形成されている穴４１ａ，４１ａ，…の内の１個に上方から挿入される。
【００５３】
下方へ突設されている係止凸部５１が、上下方向に形成されている穴４１ａへ挿入されることによって、たとえ筐体２１に対して底面部２２に沿う方向に外力が加えられたとしても、係止凸部５１が穴４１ａの内面に当接するため、固定金具４と筐体２１との水平方向の相対移動が制限される。
以上のように、板状部４１，４１を筐体２１の挿入凹部３ａ，３ａ，…に挿入しただけでもプロジェクタ２は天吊りされるが、固定金具４の筐体２１に対する相対的な位置ズレをランプドア２４の係止凸部５１で制限することによって、プロジェクタ２の脱落が防止される。
【００５４】
ランプドア２４を閉じるためには１本のネジ１０を用いたネジ留めが必要であるが、従来のプロジェクタ９のように、複数のボルト９３，９３，…を夫々ナット９５，９５，…に締結する必要はなく、また、板状部４１，４１の挿入凹部３ａ，３ａ，…への挿入によって筐体２１の固定金具４に対する係止が成されており、このことによって作業者が筐体２１を手で支持する労力が軽減されるため、ランプドア２４のネジ留め作業は容易である。なお、ランプドア２４をネジ留め以外の更に簡易な手段で筐体２１に固定する構成でもよい。
ここで、プロジェクタ２の天吊りを解除するためには、ランプドア２４を開けて係止凸部５１を穴４１ａから抜き取り、筐体２１を前方へ移動させて板状部４１，４１を挿入凹部３ａ，３ａ，…から抜き取ればよい。
【００５５】
以上のようなプロジェクタ２は、筐体２１及び固定金具４夫々に一体形成されている各部を用いてプロジェクタ２を天吊りし、固定金具４及びプロジェクタ２に付属しているランプドア２４夫々に一体形成されている各部を用いて、天吊りされたプロジェクタ２の脱落を防止する。このため、作業者は、天吊りすべきプロジェクタ２と固定金具４とを準備すればよく、ボルト、ナット等の別部材を準備する必要がない。この結果、天吊りのコストが減少する。
【００５６】
また、プロジェクタ２を廃棄する際に、合成樹脂製の筐体２１に組み付けられている金属製のナットを筐体２１から取り外す作業が不要であるため、リサイクルのコストが減少する。
更に、筐体２１の固定金具４に対する取付けは簡単であり、また、取付作業中の筐体２１の脱落も抑制されているため、作業者の作業性及び安全性が向上されている。
【００５７】
実施の形態  ２．
図４は、本発明の実施の形態２に係るプロジェクタの構成を示す分解斜視図であり、図５は、このプロジェクタの蓋であるランプドアの構成を示す斜視図である。
本実施の形態の天吊り構造は、実施の形態１の天吊り構造１と同様に、図示しない上方の構造物（例えば天井、梁等）から、固定金具４を介して、天地逆転した姿勢でプロジェクタ２を吊り下げるようにしてある。
以下では、実施の形態１の天吊り構造１と異なる部分を主に説明し、その他、実施の形態１に対応する部分には同一符号を付してそれらの説明を省略する。
【００５８】
ランプドア２４には、実施の形態１の支持突起５の代わりに支持突起６が一体形成されている。図５には、支持突起６を有するランプドア２４の下面側が示されている。
ランプドア２４が閉じられている場合、支持突起６は、左側の最前の突出部３の近傍に配される。また、支持突起６は、係止凸部６１と、係止凸部６１を支持する支持部６２とを有し、支持部６２は、実施の形態１の支持部５２と略同様の構成である。ただし、支持部６２は、下方から上方へ外力が加えられた場合に僅かに上方へ撓み、この外力が消失した場合に元の形状に戻る弾性を有する。
【００５９】
係止凸部６１は支持部６２の下面から下方へ突設されている。また、係止凸部６１には、後方から前方へ、即ち固定金具４の板状部４２，４２の挿入凹部３ａ，３ａ，…に対する挿入方向の上流側から下流側へ、支持部６２の下面からの突設量が増大するテーパ面６１ａを有し、後述するように、ランプドア２４が閉じられることによって固定金具４の板状部４２の穴４２ａに挿入される。
【００６０】
固定金具４には、実施の形態１の板状部４１，４１の代わりに板状部４２，４２が設けられている。板状部４２，４２は実施の形態１の板状部４１，４１と略同様の構成であるが、穴４１ａ，４１ａ，…が形成されていない。ただし、左側の板状部４２の前端部に、板状部４２を貫通する矩形状の穴４２ａが形成されている。穴４２ａの内径は係止凸部６１の外径よりもやや長い。
最後に、プロジェクタ２の天吊り手順を説明する。
プロジェクタ２を天吊りする前に、作業者は、天井から垂下する取付アームの下端に固定金具４の上部４ａ，４ａを固定する。
【００６１】
次いで作業者は、ランプドア２４を閉じたまま、筐体２１を両手で支持して、固定金具４の前方に配置し、挿入凹部３ａ，３ａ，…と固定金具４の板状部４２，４２との位置関係を前方又は側方から見て確認しながら、筐体２１を後方向へ移動させることによって板状部４２，４２夫々の下面をレール２６，２６夫々の上端面に摺動させる。このとき、板状部４２，４２の左右方向先端部が左右の挿入凹部３ａ，３ａ，…に挿入され、右側の板状部４２の前端部がストッパ２７に当接したとき、板状部４２，４２は６個の挿入凹部３ａ，３ａ，…全てに挿入される。
【００６２】
ところで、右側の板状部４２の上面と係止凸部６１のテーパ面６１ａとの接触によって、支持部６２には、下方から上方への外力が加えられ、支持部６２は僅かに上方へ撓む。板状部４２の前端部は支持部６２を上方へ徐々に撓ませながらテーパ面６１ａに摺動して滑らかに前方へ相対移動する。更に板状部４２が相対移動して係止凸部６１が板状部４２の穴４２ａの真上に位置したときに、板状部４２が係止凸部６１に接触しなくなるため前述の外力が消失し、弾性復元力によって支持部６２が元の形状に戻る。この結果、係止凸部６１が穴４２ａに上方から自動的に挿入される。
【００６３】
下方へ突設されている係止凸部６１が、上下方向に形成されている穴４２ａへ挿入されることによって、たとえ筐体２１に対して底面部２２に沿う方向に外力が加えられたとしても、係止凸部６１が穴４２ａの内面に当接するため、固定金具４と筐体２１との水平方向の相対移動が制限される。
以上のように、板状部４２，４２を筐体２１の挿入凹部３ａ，３ａ，…に挿入し、固定金具４の筐体２１に対する相対的な位置ズレをランプドア２４の係止凸部６１で制限することによって、プロジェクタ２は天吊りされ、しかも脱落が防止される。
【００６４】
以上のようなプロジェクタ２も、実施の形態１の天吊り構造１と同様、筐体２１及び固定金具４夫々に一体形成されている各部を用いてプロジェクタ２を天吊りし、固定金具４及びプロジェクタ２に付属しているランプドア２４夫々に一体形成されている各部を用いて、天吊りされたプロジェクタ２の脱落を防止する。
しかも、本実施の形態においては天吊り作業に伴うランプドア２４の開閉作業が不要であるため、更に作業性が向上されている。
ところで、プロジェクタ２の天吊りを解除するためには、ランプドア２４を開けるか支持部６２を手動で撓ませて係止凸部６１を穴４２ａから抜き取り、筐体２１を前方へ移動させて板状部４２，４２を挿入凹部３ａ，３ａ，…から抜き取ればよい。
【００６５】
なお、筐体２１の左右夫々に設けられている複数の突出部３，３，…に挿入凹部３ａ，３ａ，…が設けられている構成のみならず、左右各１個の前後方向に長い突出部３に挿入凹部３ａが設けられている構成でもよい。また、突出部３，３，…が設けられておらず、左右の挿入凹部３ａ，３ａが筐体２１の底面部２２に溝状に凹設されている構成でもよい。更に、板状部４１，４１（又は板状部４２，４２）を相対的に筐体２１の後方から前方へスライドさせて挿入凹部３ａ，３ａ，…に挿入する構成のみならず、前方から後方へ、又は左方（若しくは右方）から右方（若しくは左方）へスライドさせる構成でもよい。また、筐体２１の天面部に固定金具４を取り付ける構成でもよい。
【図面の簡単な説明】
【００６６】
【図１】本発明の実施の形態１に係るプロジェクタの外観を示す斜視図である。
【図２】本発明の実施の形態１に係るプロジェクタの構成を示す分解斜視図である。
【図３】本発明の実施の形態１に係るプロジェクタの蓋であるランプドアの構成を示す斜視図である。
【図４】本発明の実施の形態２に係るプロジェクタの構成を示す分解斜視図である。
【図５】本発明の実施の形態２に係るプロジェクタの蓋であるランプドアの構成を示す斜視図である。
【図６】従来のプロジェクタの外観を示す斜視図である。
【図７】従来のプロジェクタの構成を示す分解斜視図である。
【符号の説明】
【００６７】
１    天吊り構造
２    プロジェクタ
２１  筐体
２２  底面部（一面部）
２３  開口
２４  ランプドア（蓋）
２５１，２５２，２５３  脚部
３    突出部
３ａ  挿入凹部
４    固定金具（取付具）
４１，４２  板状部
４１ａ，４２ａ  穴
５１，６１  係止凸部
５２，６２  支持部
６１ａ  テーパ面
【図１】
2008286873.tif 000003
【図２】
2008286873.tif 000004
【図３】
2008286873.tif 000005
【図４】
2008286873.tif 000006
【図５】
2008286873.tif 000007
【図６】
2008286873.tif 000008
【図７】
2008286873.tif 000009